(57)【要約】【課題】  山留め壁と腹起こしとの隙間に裏込めコンクリートを打設する場合において、その設置や撤去を容易にする。【解決手段】  樹脂製で、山留め壁６に当接させる側面部３と、腹起こし７に当接させる側面部２と、腹起こし７のフランジ上端部に掛止される掛止部５と、両側面部２、３に連続する底面部４とを備える腹起こし裏込め型枠１であって、前記底面部４を、両側面部２、３間の幅を可変とする伸縮自在にしたことにより、山留め壁６と腹起こし７との隙間に合わせて調節できるようにする。【選択図】図３
2005076232.tif 000002
【特許請求の範囲】
【請求項１】
樹脂製で、山留め壁に当接させる側面部と、腹起こしに当接させる側面部と、腹起こしのフランジ上端部に掛止される掛止部と、両側面部に連続する底面部とを備える腹起こし裏込め型枠であって、
前記底面部を、両側面部間の幅を可変とする伸縮自在としたことを特徴とする腹起こし裏込め型枠。
【請求項２】
前記底面部は、波形形状であることを特徴とする請求項１に記載の腹起こし裏込め型枠。
【発明の詳細な説明】
【技術分野】
【０００１】
本発明は、山留め壁と腹起こしとの隙間に裏込めコンクリートを打設する際に用いる型枠に関する。
【背景技術】
【０００２】
従来、山留め壁と腹起こしとの隙間に裏込めコンクリートを打設する場合、その隙間に合わせて現場で型枠を作っていた。
また、この目的のために型枠を保持する金具（例えば特許文献１参照）や、コンクリートを袋に詰めて打設する方法（例えば特許文献２参照）が提案されている。
【特許文献１】特開平６−１０３５３号公報
【特許文献２】特開平８−１０９６３３号公報
【発明の開示】
【発明が解決しようとする課題】
【０００３】
従来の打設方法では、山留め壁と腹起こしとの隙間に合わせて型枠を製作していたので、その設置に手間がかかっていた。
また、打設したコンクリートが山留め壁や腹起こしに付着し、その撤去に手間がかかっていた。
コンクリートを袋に詰めて打設する方法では、上記の問題は発生しないが、袋を支持するブラケットの組み立て作業等を坑内で行う必要があった。
【０００４】
本発明の課題は、山留め壁と腹起こしとの隙間に裏込めコンクリートを打設する場合において、その設置や撤去を容易にすることである。
【課題を解決するための手段】
【０００５】
以上の課題を解決するため、請求項１に記載の発明は、例えば、図３に示すように、樹脂製で、山留め壁６に当接させる側面部３と、腹起こし７に当接させる側面部２と、腹起こし７のフランジ上端部に掛止される掛止部５と、両側面部２、３に連続する底面部４とを備える腹起こし裏込め型枠１であって、
前記底面部４を、両側面部２、３間の幅を可変とする伸縮自在としたことを特徴とする。
【０００６】
このように、腹起こし裏込め型枠１を用いて、山留め壁６と腹起こし７との隙間に裏込めコンクリート８を打設する場合、その型枠の設置作業が、腹起こし裏込め型枠１をその隙間に挿入し、掛止部５を腹起こし７のフランジに掛けるだけとなるので、坑内での型枠の組立作業が不要となり、型枠の設置作業が簡単になる。
また、底面部４を、両側面部２、３間の幅を可変とする伸縮自在としたことで、腹起こし裏込め型枠１の幅を、腹起こし７と山留め壁６との隙間の幅に合わせて調節できる。
さらに、両側面部２、３と底面部４からなる空間に、裏込めコンクリート８を打設するので、山留め壁６や腹起こし７に裏込めコンクリート８が付着することが無く、撤去作業が容易になる。
【０００７】
また、請求項２に記載の発明は、請求項１に記載の腹起こし裏込め型枠であって、例えば、図１に示すように、前記底面部４が波形形状であることを特徴とする。
【発明の効果】
【０００８】
請求項１に記載の発明によれば、型枠の設置の際に坑内での組立作業が不要となる。
また、腹起こし裏込め型枠の幅が可変なので、腹起こしと山留め壁の隙間の幅に合わせて調節できる。
さらに、鋼材等への裏込めコンクリートの付着を防止でき、撤去作業が容易になる。
【発明を実施するための最良の形態】
【０００９】
以下、図を参照して本発明を実施するための最良の形態を詳細に説明する。
図１に示すように、腹起こし裏込め型枠１は二つの側面部２、３とそれに連続する底面部４からなる溝型の型枠であって、一方の側面部２の上端に、腹起こし７のフランジ上端部に掛ける掛止部５を有する軟質合成樹脂製の型枠である。
この腹起こし裏込め型枠１は、図３に示すように、山留め壁６と腹起こし７との隙間に裏込めコンクリート８を打設する場合の型枠として用いる。
【００１０】
腹起こし７に当接する側面部２は長方形の板状で、上下の辺の長さは任意であり、左右の辺の長さは、腹起こし７の腹起こし裏込め型枠１に接する面の高さに等しい。
この側面部２の上端には、溝型の掛止部５が設けられている。この掛止部５の溝の幅は、腹起こし７のフランジの厚みに等しい。
また、側面部２の下端には、波形に形成された底面部４が、側面部２に対し垂直に設けられている。この波形の屈曲部の稜線は長さ方向と平行になっている。
この波形の底面部４の屈曲部は、屈伸できるようになっており、この屈伸によって底面部４の幅を変えることができる。
【００１１】
底面部４には側面部２と相対する側に、側面部３が底面部４に垂直に、また、これら二つの側面部２、３と底面部４が溝形をなすように設けられている。この側面部３の形状も側面部２と同じ長方形の板状である。
【００１２】
次に、以上のように構成される腹起こし裏込め型枠１の使用方法について説明する。
図３に示すように、腹起こし裏込め型枠１は、山留め壁６と腹起こし７との間の隙間に挿入して、掛止部５を腹起こし７のフランジ上端部に掛けて設置する。
また、山留め壁６には、裏込め材の落下を防止するための支持板９が取り付けられている。
【００１３】
設置の際は、設置する長さに合わせて腹起こし裏込め型枠１を切断、または結合して用いる。
また、設置する隙間の幅に合わせて波形の底面部４の屈曲部を屈伸させて、腹起こし裏込め型枠１の幅を調節する。
設置した腹起こし裏込め型枠１の端部が、山留め壁６に当接しない開放端のときは、適当な板材で壁を設ける。
【００１４】
上記のように設置した腹起こし裏込め型枠１内に、裏込めコンクリート８を打設する。
腹起こし裏込め型枠１は、その内部に打設した裏込めコンクリート８とともに、そのまま裏込め材の一部となる。
【００１５】
撤去の際は、腹起こし裏込め型枠１ごと撤去する。また、裏込めコンクリート８は、腹起こし裏込め型枠１の内部に打設するので、山留め壁６や腹起こし７に固着せず、裏込めコンクリート８をはつる作業は不要である。
【００１６】
なお、以上の実施の形態においては、底面部の形状を波形形状としたが、本発明はこれに限定されるものではなく、スライド式やアーチ形等でも良い。
また、その他具体的な細部構造等についても適宜に変更可能であることは勿論である。
【図面の簡単な説明】
【００１７】
【図１】本発明を適用した一実施の形態の構成を示す、腹起こし裏込め型枠の斜視図である。
【図２】腹起こし裏込め型枠の正面図である。
【図３】腹起こし裏込め型枠の使用時の図である。
【符号の説明】
【００１８】
１  腹起こし裏込め型枠
２、３  側面部
４  底面部
５  掛止部
６  山留め壁
７  腹起こし
８  裏込めコンクリート
９  支持板
【図１】
2005076232.tif 000003
【図２】
2005076232.tif 000004
【図３】
2005076232.tif 000005